(57)【要約】【課題】動画メニュー再生等の同一区間繰り返し再生の際、レーザ照射時間を短縮し消費電力を低くすることのできる光ディスク装置を提供することを目的とする。【解決手段】本発明の光ディスク装置１００は、システムコントローラ２が、光ディスク１０１の同一区間を繰り返し再生する際に、その区間の情報をＤＲＡＭ７に一時的に記録し、このＤＲＡＭ７からデータを読み出して記憶した区間の情報を再生部１２に再生させるとともに、光ピックアップ１１のレーザ照射を停止することを特徴とする。【選択図】図１
2012094200.tif 000002
【特許請求の範囲】
【請求項１】
繰り返し再生する区間を記憶する光ディスクを回転させるディスク回転手段と、
回転する前記光ディスクにレーザを照射して信号を読み出す読出し手段と、
この読み出した信号を取り込んで一時的に記憶する記憶手段と、
前記光ディスクの情報を再生する再生手段と、
前記ディスク回転手段と前記読出し手段と前記記憶手段と前記再生手段とを制御する制御手段とを備え、
前記制御手段は、繰り返し再生する区間を最初に再生するときに繰り返し再生する区間の情報を前記記憶手段に一時的に記録させ、２回目以降に繰り返し再生する区間を再生するときに前記記憶手段から記憶した繰り返し再生する区間の情報を読み出して前記再生手段を用いて再生させ、前記読出し手段のレーザ照射を停止させることを特徴とする光ディスク装置。
【請求項２】
前記制御手段は、前記読出し手段のレーザ照射を停止するとともに、前記ディスク回転手段のサーボ制御を停止することを特徴とする請求項１に記載の光ディスク装置。
【発明の詳細な説明】
【技術分野】
【０００１】
本発明は、光ディスク等の記録媒体に記録された情報を読出して再生を行う光ディスク装置に関するものである。
【背景技術】
【０００２】
従来の光ディスク装置において、光ピックアップが読取った情報をメモリへ記憶するために生じる光ピックアップが読取りを行わない空白時間中では、回転手段のサーボ制御を停止させ、光ピックアップの光照射出力レベルを最小限必要なレベルに調整するものが知られている（特許文献１参照）。
【先行技術文献】
【特許文献】
【０００３】
【特許文献１】特開平５−８９４６９号公報
【発明の概要】
【発明が解決しようとする課題】
【０００４】
しかしながら、従来の光ディスク装置は、動画メニュー再生時などの同一区間を繰り返し再生する際にも、ディスク回転手段を駆動するための駆動制御信号を出力しなければならない。この動画メニュー再生時などの同一区間とは、ディスクの再生動作開示時に、同じプレイアイテムを自動的に複数回繰り返して再生するようにプログラムされた区間のことをいう。また、光ピックアップは最小限必要な光をディスクに照射しなければならない。そのため、連続照射によるレーザの寿命が短くなり、ディスク回転手段を駆動するための駆動信号やレーザを照射するための制御信号を出力するため消費電力が高くなるという問題があった。
【０００５】
本発明は、従来の問題を解決するためになされたもので、動画メニュー再生等の同一区間繰り返し再生の際、レーザ照射時間を短縮し消費電力を低くすることのできる光ディスク装置を提供することを目的とする。
【課題を解決するための手段】
【０００６】
上記目的を達成するために本発明の光ディスク装置は、光ディスクの同一区間を繰り返し再生する際に、その区間の情報を記録手段に一時的に記録し、この記録手段からデータを読み出して記憶した区間の情報を再生手段に再生させるとともに、前記読出し手段のレーザ照射を停止する構成を有する。
【発明の効果】
【０００７】
本発明の光ディスク装置は、同一区間繰り返し再生時に光ディスクを読み取る為のレーザ光を消光する事ができ、レーザ照射時間が短縮できるためレーザの長寿命化と光ディスク装置の省電力化という効果を奏する。
【図面の簡単な説明】
【０００８】
【図１】本発明の実施の形態における光ディスク装置のブロック図
【図２】本発明の実施の形態における光ディスク装置の動作説明のためのフロー図
【図３】本発明の実施の形態における光ディスク内のプレイリストを示す図
【発明を実施するための形態】
【０００９】
以下、本発明の実施の形態における光ディスク装置１００について図面を参照しながら
説明する。
【００１０】
図１は本発明の実施の形態における光ディスク装置１００のブロック図である。
【００１１】
図１に示すように、外部から操作指令を与えるためのキー入力部１は、光ディスク装置１００の各構成部を制御するためのシステムコントローラ２（制御手段に相当）に接続している。
【００１２】
このシステムコントローラ２は、ＤＲＡＭコントローラ３（ＤＲＡＭ：Ｄｙｎａｍｉｃ
Ｒａｎｄａｍ  Ａｃｃｅｓｓ  Ｍｅｍｏｒｙ）と、デコーダ４と、サーボコントローラ５と、レーザ出力制御部６とに接続している。
【００１３】
ＤＲＡＭコントローラ３は、ＤＲＡＭ７（記憶手段に相当）と再生部１２（再生手段に相当）とに接続しており、ＤＲＡＭ７へのデータ入出力を制御し、ＤＲＡＭ７またはシステムコントローラ２からの再生情報を再生部１２へ出力する。ＤＲＡＭ７は、光ディスク装置１００が光ディスク１０１から読み出した情報を一時的に蓄え、振動等による音飛び等を防止する。
【００１４】
デコーダ４は、ＲＦアンプ８（ＲＦ：Ｒａｄｉｏ  Ｆｒｅｑｕｅｎｃｙ）と接続しており、ＲＦアンプ８から出力されたＲＦ信号中のＥＦＭ信号（ＥＦＭ：Ｅｉｇｈｔ  ｔｏ  Ｆｏｕｒｔｅｅｎ  Ｍｏｄｕｌａｔｉｏｎ）を抽出する。ＲＦアンプ８は、キャリッジ９と接続しており、キャリッジ９からのＲＦ信号を増幅してデコーダ４に出力する。
【００１５】
サーボコントローラ５は、スピンドルモータ１０（駆動手段に相当）とキャリッジ９とに接続しており、スピンドルモータ１０とキャリッジ９のサーボ制御を行う。
【００１６】
レーザ出力制御部６は、キャリッジ９と接続しており、光ピックアップ１１が光ディスク１０１に照射するレーザの出力を制御する。
【００１７】
キャリッジ９は、光ピックアップ１１に接続しており、光ピックアップ１１（読出し手段に相当）を光ディスク１０１の半径方向に移動させるためのものである。
【００１８】
スピンドルモータ１０は、光ディスク１０１を回転駆動させるためのものである。
【００１９】
光ピックアップ１１は、回転する光ディスク１０１にレーザを照射して、このレーザが光ディスク１０１から反射して戻ってきた信号を読取り、ＲＦ信号を出力するためのものである。
【００２０】
以上のように構成された光ディスク装置１００について、以下にその動作を説明する。
【００２１】
図２は本発明の実施の形態における光ディスク装置１００のフローチャートである。本発明の実施の形態では、自動的に複数回繰り返して再生するようにプログラムされたプレイアイテムとして具体的にメニュー情報を例に説明するが、自動的に複数回繰り返して再生するようにプログラムされたプレイアイテムであれば、メニュー情報以外のプレイアイテムであってもよい。
【００２２】
まず、ステップＳ００１に示すように、システムコントローラ２は、光ディスク装置１００が光ディスク１０１から読取った情報が、メニュー情報であるかどうかを判断する。すなわち、システムコントローラ２がプレイリストの構造を解析し、メニュー情報であることを検知することが、光ディスクを繰り返し再生をすると判断するトリガである。
【００２３】
なお、図３に示すように、光ディスクに記憶されているプレイリストとは、「Ｆｉｒｓｔ  Ｐｌａｙｂａｃｋ」、「Ｔｏｐ  ｍｅｎｕ」、「Ｔｉｔｌｅ  ＃１〜ｎ」のタイトル情報で構成されており、各タイトルは対応するアプリケーションと関連付けられている。
【００２４】
「Ｆｉｒｓｔ  Ｐｌａｙｂａｃｋ」は、光ディスク起動時に最初に自動的に再生されるタイトルである。「Ｔｏｐ  ｍｅｎｕ」は、メニュー情報に相当し、主にタイトルの選択や、字幕／音声の言語選択を行うことに用いられる。この「Ｔｏｐ  ｍｅｎｕ」は、リモコンのメニューキーを押したときやタイトル再生が終了したときに再生され、次の本編再生等のコマンドを選択しない限り、繰り返し再生される。
【００２５】
「Ｔｉｔｌｅ  ＃１〜ｎ」は、本編の再生内容に相当し、＃１〜ｎは各チャプターに対応している。
【００２６】
ステップＳ００１で「ＹＥＳ」の場合、すなわち、システムコントローラ２がメニュー情報を再生していると判断した場合、ステップＳ００２に示すように、メニュー情報を再生するとともにＤＲＡＭ７へメニュー情報を記憶する。
【００２７】
そして、ステップＳ００３に示すように、システムコントローラ２はレーザ出力制御部６へレーザを消光させる命令を出力し、レーザを消光する。
【００２８】
また、ステップＳ００４に示すように、システムコントローラ２からサーボコントローラ５へサーボ制御を停止させる命令を出力し、サーボ制御を停止する。
【００２９】
そして、ステップＳ００５に示すように、システムコントローラ２は、ユーザによるキー入力部１からの操作によりメニュー情報以外の再生指示が来なければ、プログラム通りメニュー情報を繰り返し再生すると判断する。
【００３０】
ステップＳ００５で「ＹＥＳ」の場合、すなわちメニュー情報の繰り返し再生を行うと判断した場合は、ステップＳ００６に示すように、光ディスク１０１装置はメニュー情報をＤＲＡＭ７から出力して再生する。そして、ステップＳ００５に戻る。
【００３１】
ステップＳ００５で「ＮＯ」の場合、すなわちユーザによるキー入力部１からの操作によりメニュー情報以外の再生指示が来たため、メニュー情報の繰り返し再生を行わない場合、ステップＳ００７に示すように、システムコントローラ２からサーボコントローラ５に対してサーボ制御を再開する命令を実行し、サーボ制御を再開する。
【００３２】
そして、ステップＳ００８に示すように、システムコントローラ２からレーザ出力制御部６へレーザを点灯させる指示を行い、光ピックアップ１１のレーザ点灯を再開する。
【００３３】
そして、ステップＳ００９に示すように、光ディスクの通常の再生動作に戻る。この通常の再生とは、光ピックアップで光ディスクを読取り、光ディスクの情報を再生する処理のことをいう。
【００３４】
ステップＳ００１に戻り、ステップＳ００１で「ＮＯ」の場合の処理について説明する。ステップＳ００１で「ＮＯ」の場合、すなわち、システムコントローラ２がメニュー情報を再生していないと判断した場合、ステップＳ００９に示すように、光ディスクの通常の再生動作に戻る。
【００３５】
以上の構成により、動画メニュー再生時等の光ディスク１０１における同一区間を繰り
返し再生する際、動画メニュー再生情報等の光ディスク１０１の特定区間の情報を一時的に記録手段に一時的に記憶させ、記録媒体からデータを出力させることができる。
【００３６】
そのため、光ディスク１０１上の特定区間を繰り返し再生する際のレーザ光を消光することができ、省電力化を図ることができる。
【産業上の利用可能性】
【００３７】
本発明の光ディスク装置は、メニュー再生時等の光ディスクの特定区間を繰り返し再生する際に消費電力を低減することができるため、長時間使用可能な省電力型の光ディスク再生装置として有用である。
【符号の説明】
【００３８】
１      キー入力部
２      システムコントローラ
３      ＤＲＡＭコントローラ
４      デコーダ
５      サーボコントローラ
６      レーザ出力制御部
７      ＤＲＡＭ
８      ＲＦアンプ
９      キャリッジ
１０    スピンドルモータ
１１    光ピックアップ
１２    再生部
１００  光ディスク装置
１０１  光ディスク
【図１】
2012094200.tif 000003
【図２】
2012094200.tif 000004
【図３】
2012094200.tif 000005